(57)【要約】【課題】薬液噴射部位に超音波や電磁波等を簡単、迅速、確実、安全に照射することで薬効を高めることができる薬液噴射装置を提供する。【解決手段】薬液噴射口３ａが形成された薬液噴射管３に、薬効を高めるために分子を揺さぶる波動を発生する波動発生素子４を、薬液噴射口３ａの近傍において一体化する。【選択図】図２
2006087597.tif 000002
【特許請求の範囲】
【請求項１】
薬液噴射口が形成された薬液噴射管と、
薬効を高めるために分子を揺さぶる波動を発生する波動発生素子とを備え、
前記波動発生素子が前記薬液噴射口の近傍において前記薬液噴射管に一体化されている薬液噴射装置。
【請求項２】
前記薬液噴射管が管孔内挿入用のカテーテルであり、前記薬液噴射口と前記波動発生素子は前記カテーテルの周壁に設けられている請求項１に記載の薬液噴射装置。
【発明の詳細な説明】
【技術分野】
【０００１】
本発明は、遺伝子治療や予防接種等に際してカテーテルや圧力注射器等により薬液を噴射するのに利用できる薬液噴射装置に関する。
【背景技術】
【０００２】
薬効を高めるため、薬液を圧力注射器やカテーテルにより噴射し、しかる後に、その噴射部位周辺の細胞分子や薬液分子を超音波や電磁波等により揺さぶることが知られている。
【特許文献１】特開２０００−２３３０２１号公報
【発明の開示】
【発明が解決しようとする課題】
【０００３】
圧力注射器として、超音波により皮下脂肪の厚さが適正か否かを測定するものは知られているが、寸法測定用超音波の発振パワーは小さいため、薬効を高めることができる程に分子を揺さぶる波動を発生することはできない。そのため、薬液の噴射後に圧力注射器とは別に、超音波振動子や電磁波発生用アンテナ等の波動発生素子を薬液噴射部位にあらためて位置決めする作業が必要であり、作業性が悪かった。特に血管等の管腔内に薬液を噴射する場合、細い管腔内に超音波振動子やアンテナを挿入する作業は非常に面倒で時間を要し、また、管壁を傷付ける可能性が高く、さらに、薬液噴射部位と超音波や電磁波の照射部位を対応させるのが極めて困難であった。本発明は、そのような課題を解決することのできる薬液噴射装置を提供することを目的とする。
【課題を解決するための手段】
【０００４】
本発明の薬液噴射装置は、薬液噴射口が形成された薬液噴射管と、薬効を高めるために分子を揺さぶる波動を発生する波動発生素子とを備え、前記波動発生素子が前記薬液噴射口の近傍において前記薬液噴射管に一体化されていることを特徴とする。
本発明によれば、薬液噴射口が形成されたカテーテルや圧力注射器用ノズルのような薬液噴射管に、その薬液噴射口の近傍において超音波振動子や電磁波発生用アンテナのような波動発生素子を一体化することで、薬液噴射部位周辺の血管や組織等の細胞や薬液の分子を揺さぶる超音波や電磁波等の波動を、薬液の噴射中あるいは噴射後に発生させることができる。これにより、薬液噴射管と波動発生素子とを個別に薬液噴射部位に位置決めする必要がなく、薬液噴射部位において確実に波動を発生させることで少ない薬液量で効率良く薬効が得られ、しかも作業性を向上し、作業時間を短縮できる。
【０００５】
前記薬液噴射管が管孔内挿入用のカテーテルであり、前記薬液噴射口と前記波動発生素子は前記カテーテルの周壁に設けられているのが好ましい。これにより、血管等の管腔内にカテーテルとは別に波動発生素子をあらためて挿入する面倒で長時間を要する作業をなくし、管壁を傷付ける可能性を低減でき、薬液噴射部位に対応する部位に超音波や電磁波等を確実に照射することができる。しかも薬液噴射口と波動発生素子がカテーテルの周壁に形成されることで、所望の組織に効率よく薬液を噴射すると共に薬効を向上できる。
【発明の効果】
【０００６】
本発明の薬液噴射装置によれば、薬液噴射部位に超音波や電磁波等を簡単、迅速、確実、安全に照射することで薬効を高めることができ、高価なワクチンや遺伝子治療薬等を少量で効率良く用いるのに適する。
【発明を実施するための最良の形態】
【０００７】
図１に示す薬液噴射装置１は、薬液供給器２に接続されたカテーテル（薬液噴射管）３により薬液を噴射する。薬液供給器２は、把持用グリップを兼用する本体１１に取り付けられたリリースボタン１２を操作することで、本体１１内でピストンロッド１３をバネ１４の弾力により移動させ、薬液室１７に充填された薬液をピストンロッド１３により押されるピストン１６によりカテーテル３内に押し出す。カテーテル３の基端はネジ部材１８を介して薬液供給器２に交換可能に取り付けられ、衛生的なものとされている。このような薬液供給器２としては公知のものを用いることができる。
【０００８】
図２、図３に示すように、カテーテル３は血管２０のような管孔内や他の組織内に挿入され、その先端近傍の周壁に薬液噴射口３ａが形成されている。本実施形態の薬液噴射口３ａは複数（図示例では４）とされ、カテーテル３の周方向において等間隔に配置されている。なお、薬液噴射口３ａの数は特に限定されず、単一でもよい。薬液噴射口３ａの近傍においてカテーテル３に波動発生素子４が一体化されている。波動発生素子４は、薬効を高めるために分子を揺さぶる波動を超音波や電磁波により発生するもので、例えば超音波振動子や電磁波発生用アンテナにより構成できる。本実施形態の波動発生素子４は薬液噴射口３ａと同数とされ、それぞれ薬液噴射口３ａの間においてカテーテル３の周壁に設けられ、カテーテル３の周方向において等間隔に配置されている。図２、図３における破線Ｌ１はカテーテル３の薬液噴射口３ａから噴射される薬液の噴射領域を示し、破線Ｌ２は波動発生素子４による波動の発生領域を示す。波動発生素子４は、発生波動により薬効を高めることができるように薬液噴射口３ａの近傍に配置される。薬液噴射口３ａがカテーテル３の周壁に形成されることで、管孔内の血液等の流れの影響が少なく、所望の組織に効率よく薬液を噴射することができる。なお、カテーテル３を血管２０における所望位置まで持ってくるには、血管内内視鏡、超音波プローブ、Ｘ線透視画像のようなナビゲータを使用するのが好ましい。
【０００９】
図１に示すように、薬液供給器２の本体１１に制御スイッチ３１が連結され、制御スイッチ３１は波動発生信号生成装置３２に接続される。制御スイッチ３１は押しボタン３１ａを有し、押しボタン３１ａの操作により波動発生信号生成装置３２が生成する波動発生信号が制御スイッチ３１から信号線３０を介して波動発生素子４に伝送される。波動発生素子４は波動発生信号により、例えば超音波振動子である時は超音波を発し、電磁波発生用アンテナである時は電磁波を発する。押しボタン３１ａとリリースボタン１２の連結部材３３を設け、リリースボタン１２の操作と同時に押しボタン３１ａが操作されるものとされている。連結部材３３は取り外し可能とされ、リリースボタン１２と押しボタン３１ａを個別に操作することも可能とされている。なお、信号線３０はカテーテル３の管孔内挿入部分に一体化される。
【００１０】
上記実施形態によれば、薬液噴射口３ａが形成されたカテーテル３に、薬液噴射口３ａの近傍において超音波振動子や電磁波発生用アンテナのような波動発生素子４を一体化することで、薬液噴射部位周辺の血管や組織等の細胞や薬液の分子を揺さぶる超音波や電磁波等の波動を、薬液の噴射中あるいは噴射後に発生させることができる。これにより、カテーテル３と波動発生素子４とを個別に薬液噴射部位に位置決めする必要がなく、薬液噴射部位において確実に波動を発生させることで少ない薬液量で効率良く薬効が得られ、しかも作業性を向上し、作業時間を短縮できる。また、血管２０のような管腔内にカテーテル３とは別に波動発生素子４をあらためて挿入する面倒で長時間を要する作業をなくし、管壁を傷付ける可能性を低減でき、薬液噴射部位に対応する部位に超音波や電磁波等を確実に照射することができる。
【００１１】
本発明は上記実施形態に限定されない。例えば、薬液噴射管はカテーテルに限定されず、圧力注射器用の交換可能な薬液噴射ノズルであってもよく、そのノズルの端面における薬液噴射口の周囲に薬効を高めるために分子を揺さぶる波動を発生する波動発生素子を設けてもよい。
【図面の簡単な説明】
【００１２】
【図１】本発明の実施形態の薬液噴射装置の部分破断側面図
【図２】本発明の実施形態の薬液噴射装置におけるカテーテルの使用状態を示す斜視図
【図３】本発明の実施形態の薬液噴射装置におけるカテーテルの横断面図
【符号の説明】
【００１３】
１  薬液噴射装置
３  カテーテル（薬液噴射口）
３ａ  薬液噴射口
４  波動発生素子
２０  血管
【図１】
2006087597.tif 000003
【図２】
2006087597.tif 000004
【図３】
2006087597.tif 000005